【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
仮想環境のポイントＰにおいて受光された光の量を推定する方法であって、
前記仮想環境は、光源によって照明された複数の第１のポイントを含み、前記第１のポイントは、複数のグループを形成し、前記複数のグループの各々は、少なくとも１つの第１のポイントを含み、前記方法は、
‐各グループに対して、受光された入射光の量を推定するステップと、
‐視点から見える前記仮想環境の前記ポイントのうち少なくともいくつかをグループ化する表面を推定するステップであって、前記表面は前記ポイントＰを含む、ステップと、
‐前記表面に関連付けられたオクルージョン情報の少なくとも１つの項目に応じて、前記光源から受光された前記入射光の反射によって前記ポイントＰの前記照明に寄与する前記複数のグループのうち少なくとも第１のグループを推定するステップと、
‐前記少なくとも１つの第１のグループに関連付けられた反射率情報の前記少なくとも１つの項目に従って、前記ポイントＰによって受光された光の量を、前記少なくとも１つの第１のグループによって受光された前記入射光の前記光の量から推定するステップと、
を含む、前記方法。
【請求項２】
前記表面は、前記視点から見える前記仮想環境の各ポイントと、前記視点とを離間する距離を表す深度マップから推定される、請求項１に記載の方法。
【請求項３】
各第１のポイントに対して、当該各第１のポイントをその隣接領域の複数の第１のポイントから離間する距離の平均を表す値を推定するステップをさらに含み、
前記第１のポイントは、前記推定された値と、第１のポイントの前記位置及び方位を表す情報とに従って前記グループにグループ化され、
前記グループの前記方位を表す方位情報の項目及び前記グループの前記位置を表す位置情報の項目が、各グループに関連付けられている、請求項１又は２に記載の方法。
【請求項４】
‐各第１のポイントに対して、各第１のポイントをその隣接領域の複数の第１のポイントから離間する距離の平均を表す値を推定するステップと、
‐前記第１のポイントを、前記推定された値と、第１のポイントの前記位置及び方位を表す情報とに従って、複数の第２のグループにグループ化するステップであって、前記第２のグループの前記方位を表す方位情報の項目及び前記第２のグループの前記位置を表す位置情報の項目は各第２のグループに関連付けられている、ステップと、
‐第２のグループの前記方位及び位置情報に従って、前記第２のグループを再グループ化することにより、前記グループを生成するステップと、
を含む、請求項１又は２に記載の方法。
【請求項５】
前記第１のポイントの前記位置を表す前記情報は、入射方向に従って前記光源を前記第１のポイントから離間する第１の距離の推定によって取得され、
前記第１の推定された距離は、前記仮想環境及び前記光源に関連付けられたシャドウマップにおいて記憶される、請求項３に記載の方法。
【請求項６】
前記視点と、前記視点から見える前記環境の前記ポイントとを離間する第２の距離を推定するステップをさらに含み、前記第２の推定された距離は、前記仮想環境及び前記視点に関連付けられた深度マップにおいて記憶され、オクルージョン情報の前記少なくとも１つの項目は、前記第２の推定された距離から取得される、請求項１乃至５のいずれかに記載の方法。
【手続補正２】
【補正対象書類名】明細書
【補正対象項目名】００６８
【補正方法】変更
【補正の内容】
【００６８】
本発明は、ＰＣ若しくは形態型コンピュータにおいて又は画像をライブで生成し且つ表示する特殊ゲーム機において実行され得るプログラムを介するか否かに関わらず、例えば、テレビゲームアプリケーションに使用され得る。図４に関して説明したデバイス４は、キーボード及び／又はジョイスティック等のインタラクション手段を有利にも備えられている。例えば、音声認識等のコマンドを導入する他のモードも可能である。
［付記１］
仮想環境（１）のポイントＰ（４３）において受光された光の量を推定する方法であって、
前記仮想環境（１）は、光源（１０）によって照明された複数の第１のポイント（１２１乃至１２ｉ、１３１乃至１３ｉ、１５１乃至１５３）を含み、前記第１のポイントは、複数のグループを形成し、前記複数のグループの各々は、少なくとも１つの第１のポイントを含み、前記方法は、
‐各グループに対して、受光された入射光の量を推定するステップ（７１）と、
‐視点（４０）から見える前記仮想環境の前記ポイントのうち少なくともいくつかをグループ化し且つ前記ポイントＰ（４３）を含む表面（４１）を推定するステップと、
‐前記表面（４１）に関連付けられたオクルージョン情報に関する少なくとも１つの項目に応じて、前記光源から受光された前記入射光の反射によって前記ポイントＰ（４３）の前記照明に寄与する前記複数のグループのうち少なくとも第１のグループ（３２１，３５１）を推定するステップと、
‐前記少なくとも１つの第１のグループに関連付けられた反射率情報に関する前記少なくとも１つの項目に応じて、前記ポイントＰ（４３）によって受光された光の量を、前記少なくとも１つの第１のグループ（３２１，３５１）によって受光された前記入射光の前記光の量から推定するステップと
を含むことを特徴とする方法。
［付記２］
前記表面（４１）は、前記視点（４０）から見える前記仮想環境の各ポイントと、前記視点（４０）とを離間する距離を表す深度マップから推定されることを特徴とする付記１に記載の方法。
［付記３］
各々の第１のポイントに対して、当該各第１のポイントをその隣接領域の複数の第１のポイントから離間する距離の平均を表す値を推定するステップをさらに含み、
前記第１のポイントは、前記推定された値と、第１のポイントの前記位置及び方位を表す情報とに応じて、前記グループにグループ化され、
前記グループの前記方位を表す方位情報の項目及び前記グループの前記位置を表す位置情報の項目が、各グループに関連付けられていることを特徴とする付記１又は２に記載の方法。
［付記４］
‐各第１のポイントに対して、各第１のポイントをその隣接領域の複数の第１のポイントから離間する距離の平均を表す値を推定するステップと、
‐前記第１のポイントを、前記推定された値と、第１のポイントの前記位置及び方位を表す情報とに応じて、複数の第２のグループにグループ化するステップと、
‐第２のグループに関する前記方位及び位置情報に応じて、前記第２のグループを再グループ化することにより、前記グループを生成するステップと、を含み、
前記グループ化するステップにおいて、前記第２のグループの前記方位を表す方位情報の項目及び前記第２のグループの前記位置を表す位置情報の項目は各第２のグループに関連付けられていることを特徴とする付記１又は２に記載の方法。
［付記５］
前記第１のポイントの前記位置を表す前記情報は、入射方向に応じて前記光源を前記第１のポイントから離間する第１の距離の推定によって取得され、
前記第１の推定された距離は、前記仮想環境（１）及び前記光源（１０）に関連付けられたシャドウマップ（１１）において記憶されることを特徴とする付記３に記載の方法。
［付記６］
前記視点と、前記視点から見える前記環境の前記ポイントとを離間する第２の距離の推定のステップをさらに含み、前記第２の推定された距離は、前記仮想環境（１）及び前記視点（４０）に関連付けられた深度マップ（４１）において記憶され、オクルージョン情報の前記少なくとも１つの項目は、前記第２の推定された距離から取得されることを特徴とする付記１乃至５のいずれかに記載の方法。